【手続補正書】
【提出日】平成25年10月23日(2013.10.23)
【手続補正１】
【補正対象書類名】特許請求の範囲
【補正対象項目名】全文
【補正方法】変更
【補正の内容】
【特許請求の範囲】
【請求項１】
データをホストするための方法であって、
第１の制御領域の少なくとも１つのコンピューティング装置が、第２の制御領域の少なくとも１つのコンピューティング装置から、前記第２の制御領域の前記少なくとも１つのコンピューティング装置の定義されたデータ・セットに対し少なくとも１つの第１の数学的データ変換のアプリケーションから作成された不明瞭なデータを受け取るステップと、
前記第１の制御領域の前記少なくとも１つのコンピューティング装置が、データ分析と前記データ分析の出力の少なくとも１つの第２の数学的変換とのアプリケーションから作成された不明瞭なメタデータを受け取るステップと、
少なくとも２つの異なるコンテナ・タイプを有する複数のコンテナの内、前記第１の制御領域における前記不明瞭なデータまたは前記不明瞭なメタデータの内少なくとも１つを格納する少なくとも１つのコンテナを決定するステップと、
を含み、
前記第１および第２の数学的変換が、第３の制御領域の少なくとも１つのコンピューティング装置によって提供される暗号鍵情報を利用し、
前記第１の制御領域、前記第２の制御領域、および前記第３の制御領域が別個のものである、
ことを特徴とする、方法。
【請求項２】
請求項１に記載の方法において、前記不明瞭なデータが、暗号鍵情報に基づく少なくとも１つの検索可能暗号アルゴリズムに従って少なくとも１つのデータ暗号化によって作成された暗号化データを含む、方法。
【請求項３】
請求項２に記載の方法において、前記決定するステップが、前記暗号化データまたは前記不明瞭なメタデータの内少なくとも１つを格納する前記少なくとも１つのコンテナを決定するステップを含む、方法。
【請求項４】
請求項１に記載の方法において、前記不明瞭なメタデータが、前記データ分析と暗号鍵情報に基づく前記分析の出力における前記少なくとも１つの第２の数学的変換とから作成した暗号化メタデータを含む、方法。
【請求項５】
請求項４記載の方法において、前記決定するステップが、前記不明瞭なデータまたは前記暗号化メタデータの内少なくとも１つを格納する前記少なくとも１つのコンテナを決定するステップを含む、方法。
【請求項６】
請求項１に記載の方法であって、更に、前記複数のコンテナについて所定の条件が満たされた場合に前記不明瞭なデータまたは前記不明瞭なメタデータが格納される前記少なくとも１つのコンテナを自動的に変更するステップを含む、方法。
【請求項７】
請求項１に記載の方法において、前記決定するステップが、前記不明瞭なデータに関連付けられた記憶サイズに基づいて前記不明瞭なデータを格納する少なくとも１つのコンテナを決定するステップを含む、方法。
【請求項８】
前記決定するステップが、前記不明瞭なデータまたは前記不明瞭なメタデータに関連付けられた記憶サイズ、前記不明瞭なデータまたは前記不明瞭なメタデータに対して規定されたアクセス速度要件、前記不明瞭なデータまたは前記不明瞭なメタデータに対して規定された復元信頼性要件、または、前記不明瞭なデータもしくは前記不明瞭なメタデータへアクセスできる１つもしくは複数の装置に対する近接性の内、少なくとも１つに基づいて前記不明瞭なデータまたは前記不明瞭なメタデータを格納する少なくとも１つのコンテナを決定するステップを含むことを特徴とする請求項１に記載の方法。
【請求項９】
請求項１に記載の方法であって、更に、トラップドア・データの少なくとも１つの暗号化トラップドアにより定義される前記不明瞭なデータまたは前記不明瞭なメタデータに対する可視的なアクセスを可能とする、前記トラップドアを受け取るステップを含む方法。
【請求項１０】
請求項１に記載の方法であって、更に、
少なくとも１つのデータ・アイテムを前記定義されたデータ・セットから復元する要求を受け取るステップと、
前記少なくとも１つのデータ・アイテムを前記不明瞭なデータまたは前記不明瞭なメタデータから抽出するための少なくとも１つのトラップドアを受け取るステップと、
前記少なくとも１つのトラップドアが妥当である場合には、前記少なくとも１つのデータ・アイテムを前記不明瞭なデータまたは前記不明瞭なメタデータから抽出して送信するステップと、
を含む、方法。
【請求項１１】
システムであって、
データおよびメタデータの発行またはデータおよびメタデータのサブスクライブの内少なくとも１つについての数学的変換述語情報を生成する生成器を含む第１のコンピューティング装置と、
数学的変換アルゴリズム・プロバイダを含む第２のコンピューティング装置であって、前記数学的変換アルゴリズム・プロバイダが数学的変換コンポーネントを分散し、前記数学的変換コンポーネントがプロセッサ実行可能命令を有し、プロセッサ上で実行されるときに、検索可能データ不明瞭化アルゴリズムまたは検索可能データ開示アルゴリズムの少なくとも１つを、前記生成器が生成した前記数学的変換述語情報に基づいて実施させる、第２のコンピューティング装置と、
第２のプロセッサおよび第２のメモリを含むネットワーク・サービス・プロバイダであって、前記第２のメモリがプロセッサ実行可能命令を有し、前記第２のプロセッサ上で実行されるときに、前記少なくとも１つの数学的変換コンポーネントによって不明瞭化したデータまたはメタデータに関してネットワーク・サービスを実施させ、前記第２のメモリが更に、プロセッサ実行可能命令を有するデータ・コンテナ管理コンポーネントを備え、前記第２のプロセッサで実行されるときに、前記少なくとも１つの数学的変換コンポーネントにより不明瞭化されたデータまたはメタデータがどこに格納されるかを、前記ネットワーク・サービスの、データ待ち時間要件、データ信頼性要件、データ消費要件からの距離、またはデータ・スケール要件の内少なくとも１つに基づいて管理する、ネットワーク・サービス・プロバイダと、
を備え、
前記第１のコンピューティング装置、前記第２のコンピューティング装置、および前記ネットワーク・サービス・プロバイダが別個のものである、
システム。
【請求項１２】
請求項１１に記載のシステムにおいて、更に、
前記数学的変換コンポーネントを暗号技術コンポーネントとして提供する暗号技術プロバイダを備え、
前記生成器が鍵生成器であり、前記数学的変換述語情報が鍵情報である、システム。
【請求項１３】
請求項１２に記載のシステムにおいて、
前記データまたは前記メタデータが前記暗号技術コンポーネントによって暗号化され、
前記データ・コンテナ管理コンポーネントが、前記暗号技術コンポーネントにより暗号化された前記データまたは前記メタデータがどこに格納されるかを管理する、システム。
【請求項１４】
請求項１１に記載のシステムにおいて、
前記データ・コンテナ管理コンポーネントが、前記少なくとも１つの数学的変換コンポーネントにより不明瞭化された前記データまたは前記メタデータがどこに格納されるかを、前記ネットワーク・サービス・プロバイダによる前記ネットワーク・サービスのデリバリに関して規定したデータ待ち時間要件、前記ネットワーク・サービスにより前記データまたは前記メタデータの記憶に関して規定されたデータ信頼性要件、前記ネットワーク・サービスにより前記データまたは前記メタデータを１つもしくは複数の要求側の装置に送信することに関して規定したデータ消費要件からの距離、または前記ネットワーク・サービスによるデータまたはメタデータの記憶に関して規定されたデータ・スケール要件に基づいて管理する、システム。
【請求項１５】
前記鍵情報が、前記少なくとも１つの数学的変換コンポーネントにより暗号化された前記データまたは前記メタデータに関してアクセス権限を規定するケイパビリティ情報を含むことを特徴とする請求項１１に記載のシステム。
【請求項１６】
前記ケイパビリティ情報を遅延的に結合することにより、最新のアクセス権限が所与のサブスクライバに付与されることを特徴とする請求項１５に記載のシステム。
【請求項１７】
コンピューティング・システムであって、
選択的にアクセス可能なデータまたはメタデータを発行するパブリッシャと、
前記選択的にアクセス可能なデータまたはメタデータを格納する少なくとも１つのデータ記憶と、
前記発行されたデータまたはメタデータに適用可能な暗号鍵情報を生成する第１の独立した装置と、
第２の独立した装置であって、前記発行されたデータまたはメタデータを格納する前記データ記憶のセットについての知識を前記暗号鍵情報なしには開示できない秘密として維持する間に、前記発行されたデータまたはメタデータをデータ記憶のセットにわたり分散する前に、前記発行されたデータまたはメタデータを前記暗号鍵情報に基づいて暗号化する第２の独立した装置と、
前記発行されたデータまたはメタデータに対する選択的なアクセスを、前記パブリッシャにより付与された、遅延的に結合され選択された権限に基づいて、前記ネットワーク・サービスに対する所与の要求に提供するネットワーク・サービスと、
を備え、
前記データ記憶が複数のコンテナを備え、前記発行されたデータまたはメタデータが複数のコンテナの内少なくとも１つのコンテナにわたり自動的に分散されることを特徴とする、システム。
【請求項１８】
前記データ記憶が、異なるコンテナ・タイプから成る複数のコンテナを備える、請求項１７に記載のシステム。
【請求項１９】
前記暗号鍵情報が、前記複数のコンテナにわたり前記データを再アセンブルするためのデータ・マップである、請求項１７記載のシステム。
【請求項２０】
前記発行されたデータまたはメタデータが、前記複数のコンテナによって提示された記憶リソースについてのリアルタイムの分析に基づいて自動的に分散される、請求項１７記載のシステム。